(57)【要約】           【課題】      内部エネルギーで冷媒ガスの蒸発・凝縮の熱交換を行う熱源の提供        【解決手段】  真空槽内に窒素ガスを充填し、槽内は人工太陽光灯を点灯、槽内温度を１００℃〜１２０℃熱交換器で蒸発を行い、他の真空槽内に窒素ガスを充填し、この槽内温度を−３０℃に保ち、熱交換器で凝縮を行う。温度格差を安定させる。        【選択図】    図１
2005098173.tif 000002
【特許請求の範囲】
【請求項１】
外部エネルギーを利用しないで、冷媒ガスを蒸発・凝縮させる熱交換器の熱源発生システム
【発明の詳細な説明】
【技術分野】
【０００１】
本発明は、冷媒ガスの熱格差で蒸発・凝縮する熱交換のシステムに関するものである。
【背景技術】
【０００２】
従来、冷媒ガスの蒸発・凝縮の熱源にはいろいろなエネルギーを利用しているが、装置も大型となり、ランニングコストも高価である。
【発明の開示】
【発明が解決しようとする課題】
【０００３】
上記の問題点を解決し、設備・ランニングの両コストを低廉化を計る内部エネルギーを利用した冷媒ガスの蒸発・凝縮を提供するためになされたものである。
【課題を解決するための手段】
【０００４】
上記課題を解決するため本発明は、冷媒ガスを蒸発させるため高温部液体（水・不凍液）は電熱ヒーターで温め、凝縮するため低温部液体（塩水・不凍液）は冷凍機で冷やす。この二熱源で高低温の循環液体を内部エネルギーを使用して生成するシステム。
【発明の効果】
【０００５】
本発明は、温度格差発電装置で、温度差を生成する熱源の課題を性能・環境・省資源・低コスト面について在来の太陽光発電は天候日照時間・風力発電は風速の安定性両者とも天候に左右され併せて発電効率は低く、燃料発電は水素酸素の安全性に問題が大きく機器の寿命も短い等々何れの発電と比較しても優れることとなる。
【発明を実施するための最良の形態】
【０００６】
図１は、ランキンサイクル温度格差発電装置のフローシートである。冷媒ガスを蒸発器５で蒸気にし、タービン１へ噴射し１を回転排出し、凝縮器６に入り液になり、ポンプ４で加圧し５に戻る一連の循環サイクルを示す。１の回転をカップリング２を介し、発電機８と冷凍機３及び４を運転する。発電装置を示す。
【０００７】
高温加熱部Ａは５に設けた熱交換器（加熱）５´へ加熱槽９´に湛えた加熱水（水・不凍液）９を、８で発生した電力Ｐを使い加熱ヒーター９''で９を温め温度コントロールしＰで動くポンプ５''で５´へ送り更に逆止弁７を経て９´へ戻す循環サイクルである。ＡはＰを使用した冷媒ガスを蒸発させる高温発生の熱源である。
【０００８】
低温冷却部Ｂは３で発生する低温冷媒ガスを６に設けた熱交換器（冷却）６´へ冷却槽１０´に満たした冷却水（塩水・不凍液）１０を冷却熱交換器１０''で温度コントロールで冷却しＰで動くポンプ６''で６´へ送り更に逆止弁７を経て１０´へ戻る循環サイクルである。Ｂは１の出力回転を使った冷媒ガスを凝縮させる低温発生の熱源を示す。以上、外部エネルギーを利用しないランキンサイクルのフローシートを示す。
【図面の簡単な説明】
【０００９】
【図１】本発明に係わる冷媒ガスの蒸発・凝縮熱交換器の熱源生成のシステム図である。
【符号の説明】
【００１０】
１      タービン
２      カップリング
３      冷凍機
４      ポンプ
５      蒸発器
５'      熱交換器（加熱）
５''      ポンプ
６      凝縮器
６'      熱交換器（冷却）
６''      ポンプ
７      逆止弁
８      発電機
９      加熱水（水・不凍液）
９'      加熱槽
９''      加熱ヒーター
１０    冷却水（塩水・不凍液）
１０'    冷却槽
１０''    冷却熱交換器
Ｐ      電力（自己発電）
Ａ      高温加熱部
Ｂ      低温冷却部
【図１】
2005098173.tif 000003
【手続補正書】
【提出日】平成16年6月15日(2004.6.15)
【手続補正１】
【補正対象書類名】明細書
【補正対象項目名】全文
【補正方法】変更
【補正の内容】
【発明の詳細な説明】
【技術分野】
【０００１】
本発明は、冷媒ガスの温度差で蒸発・凝縮する熱交換システムに関するものである。
【背景技術】
【０００２】
従来、冷媒ガスの蒸発・凝縮の熱源にはいろいろなエネルギーを利用しているが温度差を蒸発温度が水の沸点以下のため経済面から凝縮温度との差を大きく設定することが難しく熱効率が低い。
【発明の開示】
【発明が解決しようとする課題】
【０００３】
上記の問題点を解決し、外部熱源エネルギーを殆ど利用せず（起動時はブースター電力使用）真空装置を利用した冷媒ガスの蒸発・凝縮を提供するためになされたものである。
【課題を解決するための手段】
【０００４】
上記の問題点を解決するため本発明は、冷媒ガスを蒸発コイルを設けた真空槽に窒素ガスを充填し、外部から人工太陽光線を照射し、槽内の温度を１１０℃に上昇させる。次に凝縮コイルを設けた真空槽に窒素ガスを充填し、槽内の温度を−３０℃に下降させる。この蒸発・凝縮を連結し循環サイクルを発生させる。
【発明の効果】
【０００５】
本発明は、温度格差発生装置で、温度差を生成する熱源の課題を解決し、蒸発ガス温度５０℃、凝縮温度−２０℃と温度差が大きくなり、半永久的に装置の運転が安定し、装置の安全性と冷媒ガスを利用した駆動機械の性能が向上する。
【発明を実施するための最良の形態】
【０００６】
図１は、ランキンサイクル温度格差発電装置のフローシートである。冷媒ガス１２を蒸発器５で蒸気にし、タービン１へ噴射し、１を回転排出し、凝縮器８に入り、液になり、ポンプ７で加圧し５に戻る一連の循環サイクルを示す。１の回転をカップリング２を介し、発電機３を運転する発電装置を示す。
【０００７】
５は加熱槽４に設け、４は真空槽で窒素ガス１０を充填し、人工太陽光灯６を設け、点灯して４の内部温度を上昇（１１０℃以上）する。５へポンプ７で１２を冷媒ガスタンク１１から送る。４の内壁に蓄熱材シート１２´を貼り、４内の温度を安定させ、１２を蒸発させる高温発生源である。
【０００８】
８は冷却槽９に設け、９は真空槽で１０を充填し、９の内部温度を下降（−３０℃）する。８の内壁に１２´を貼り、８内の温度を安定させ、１から排出される１２を凝縮し、１１へ排出する。この装置は外部エネルギーを利用しないランキンサイクルのフローシートを示す。
【図面の簡単な説明】
【０００９】
【図１】本発明に係わる冷媒ガスの蒸発・凝縮熱交換器の熱源生成のシステム図である。
【図２】本発明に係わる冷媒ガスの蒸発の断面外観図である。
【図３】本発明に係わる冷媒ガスの凝縮の断面外観図である。
【符号の説明】
【００１０】
１  タービン
２  カップリング
３  フライホイル発電機
４  加熱槽
５  蒸発器
６  人工太陽光灯
７  ポンプ
８  凝縮器
９  冷却槽
１０  窒素ガス
１１  冷媒ガスタンク
１２  冷媒ガス
４´  真空ヂャケットＡ
９´  真空ヂャケットＢ
１２´  蓄熱材シート
【手続補正２】
【補正対象書類名】図面
【補正対象項目名】全図
【補正方法】変更
【補正の内容】
【図１】
2005098173.tif 000004
【図２】
2005098173.tif 000005
【図３】
2005098173.tif 000006
【手続補正書】
【提出日】平成16年7月13日(2004.7.13)
【手続補正１】
【補正対象書類名】明細書
【補正対象項目名】０００４
【補正方法】変更
【補正の内容】
【０００４】
上記の問題点を解決するため本発明は、冷媒ガスを蒸発コイルを設けた真空槽に窒素ガスを充填し、外部から人工太陽光線を照射し、槽内の温度を１００℃〜１２０℃に上昇させる。次に凝縮コイルを設けた真空槽に窒素ガスを充填し、槽内の温度を−３０℃に下降させる。この蒸発・凝縮を連結し循環サイクルを発生させる。
【手続補正２】
【補正対象書類名】明細書
【補正対象項目名】０００５
【補正方法】変更
【補正の内容】
【０００５】
本発明は、温度格差発生装置で、温度差を生成する熱源の課題を解決し、蒸発ガス温度５０℃、凝縮温度−２０℃と温度差が大きくなり、この装置の運転が安定し、装置の安全性と冷媒ガスを利用した駆動機械の性能が向上する。
【手続補正３】
【補正対象書類名】明細書
【補正対象項目名】０００７
【補正方法】変更
【補正の内容】
【０００７】
５は加熱槽４に設け、４は真空槽で窒素ガス１０を充填し、人工太陽光灯６を設け、点灯して４内部温度の上昇（１００℃〜１２０℃）を計る。５へポンプ７で１２を冷媒ガスタンク１１から送る。４の内壁に蓄熱材シート１２を貼り、４内の温度を安定させ、１２を蒸発させる高温発生源である。
【手続補正４】
【補正対象書類名】明細書
【補正対象項目名】０００８
【補正方法】変更
【補正の内容】
【０００８】
８は冷却槽９に設け、９は真空槽で１０を充填し、９の内部温度（−３０℃）に安定させる熱源に液体窒素タンク１４に満した液体窒素１４´でブライン槽１３に満したブライン１３´を冷却（−４０℃〜−５０℃）して９内の１０温度−３０℃に安定を計り、１から排出される１２を凝縮し、１１へ排出する。この装置は外部エネルギーを利用しないランキンサイクルのフローシートを示す。
【手続補正５】
【補正対象書類名】明細書
【補正対象項目名】００１０
【補正方法】変更
【補正の内容】
【００１０】
１  タービン
２  カップリング
３  フライホイル発電機
４  加熱槽
４´真空ヂャケットＡ
５  蒸発器
６  人工太陽光灯
７  ポンプ
８  凝縮器
９  冷却槽
９´真空ヂャケットＢ
１０  窒素ガス
１１  冷媒ガスタンク
１２  冷媒ガス
１２´蓄熱材シート
１３  ブライン槽
１３´ブライン
１４  液体窒素タンク
１４´液体窒素
【手続補正６】
【補正対象書類名】図面
【補正対象項目名】図１
【補正方法】変更
【補正の内容】
【図１】
2005098173.tif 000007
【手続補正７】
【補正対象書類名】図面
【補正対象項目名】図３
【補正方法】変更
【補正の内容】
【図３】
2005098173.tif 000008